(57)【要約】      （修正有） 【課題】ゴミを紙で包んだ状態でゴミ袋に入れ処理できる枠を有したツバ付きゴミ箱内枠を提供する。【解決手段】ツバと枠が一体成形となったツバ付きゴミ箱内枠は枠に内側シートとゴミ袋をセット後ゴミ箱内へ収容する事でゴミが紙で被われた状態で処理できる。ゴミの様子が見えず個人情報が守られ、カラス等の外敵から被害を防ぐ事が出来、先の尖った物でゴミ袋に傷が付きにくく又、紙、新聞紙、紙袋が余分な水分を吸収し異臭を抑え公共道路たるゴミ置き場環境を美しく衛生的に保つ事が出来る。【選択図】図１
0003162234.tif 000002
【実用新案登録請求の範囲】
【請求項１】
底を有するゴミ箱の内に収容して用いるツバ付きゴミ箱内枠であって、そのツバ付きゴミ箱内枠は前記底を有するゴミ箱の入口よりも大きいドーナツ状のツバとそのツバの一方の面に前記ツバの穴と略同心となるように、且つ内装してゴミ袋を拡げる為の筒状又は棒で形成された枠を一体成形したことを特徴とするツバ付きゴミ箱内枠。
【考案の詳細な説明】
【技術分野】
【０００１】
本考案はゴミ箱のツバの一方の面に内枠を取り付け枠に紙、新聞紙、紙袋のいずれかからなる内側シートとビニール製、ポリエチレン製、ポリプロピレン製のいずれかからなるゴミ袋をセットしゴミ箱内へ収容し使用するツバ付きゴミ箱内枠に関する。
【背景技術】
【０００２】
従来ゴミをゴミ箱に捨てる際、ゴミ箱に直接捨てるかゴミ箱の中にゴミ袋を入れその中に捨てておりゴミ箱の中のゴミが見えない為、ゴミの臭いを防ぐ為にゴミ箱の蓋は使われていた。
【０００３】
近年、行政指定ゴミ袋を使用してゴミを処理する慣わしでゴミ袋のサイズに合わせたゴミ箱が必要とされ、そのゴミ箱に合うゴミ箱の蓋も必要とされている。
【０００４】
例えば蓋を階段式にし底部は開口で返しを設けクリップでゴミ袋を固定し、ゴミ箱に被せるゴミ箱の蓋が開示されている。（特許出願平８−２８４５３１）
【先行技術文献】
【特許文献】
【０００５】
【特許文献１】特許出願平８−２８４５３１
【考案の概要】
【考案が解決しようとする課題】
【０００６】
しかしながら（特許出願平８−２８４５３１）のゴミ箱の蓋はゴミをゴミ袋、レジ袋に入れて処理出来るがゴミ袋の中の様子が丸見えであり個人情報を守る事が出来ない。カラスなどの外敵がゴミをあさりゴミ置き場の環境が汚されるなどの被害を受け先の尖った物がゴミ袋に傷をつけ破れやすくゴミから発生する余分な水分、臭いが異臭の元となり不快感を与えていた。
【０００７】
本考案はゴミを紙、新聞紙、紙袋に包んだ状態でゴミ袋に入れて捨てる事が出来るので個人情報を守る事が出来、カラスなどの外敵がゴミをあさりゴミ置き場の環境が汚されるなどの被害を防ぐ事が出来、先の尖った物がゴミ袋に傷をつけにくく破れにくくすることが出来る。
【０００８】
またゴミを紙、新聞紙、紙袋に包んだ状態でゴミ袋に入れて捨てるのでゴミから発生する異臭の元となる余分な水分、臭いを抑えることが出来る。
【０００９】
通常ゴミ箱の蓋はゴミ箱１個に対し１個必要とされているが、本考案１個で複数個のゴミ箱にゴミ箱の形態に合わせてゴミ袋と内側シートをゴミ箱内にセットする事が出来る。
【課題を解決するための手段】
【００１０】
底を有するゴミ箱の内に収容して用いるツバ付きゴミ箱内枠であって、そのツバ付きゴミ箱内枠は前記底を有するゴミ箱の入口よりも大きいドーナツ状のツバとそのツバの一方の面に前記ツバの穴と略同心となるように、且つ内装してゴミ袋を拡げる為の筒状又は棒で形成された枠を一体成形したことを特徴とするツバ付きゴミ箱内枠である。
【００１１】
本考案のゴミ箱のツバはゴミの内容、用途に応じて材質を決めればよい。例えば紙くずなどの軽いゴミ、水気の無い家庭用一般ごみはダンボール製、厚紙製、木製等を用い、生ゴミ、植物、汚物等はプラスチック製、ポリプロピレン製、ステンレス製等を用いる。本考案はゴミが直接触れ汚れやすい為、水拭き、水洗いが出来る素材が好ましい。
【００１２】
ツバはゴミ箱入口よりも一回り大きく、ゴミ箱入口全体を被せる大きさでありゴミ入口を有し、ゴミ入口は接続部位までの半径以内の大きさで略同心となるように設け用途に応じてゴミ入口穴の大きさを決めればよい。ゴミ箱の形、大きさに合わせてゴミ箱入口内に嵌まる専用のツバであれば納まりよく実用性に優れゴミ箱と合わせて作成し、商品として売り出す事が出来る。ツバ表の外周にＬ字型のうけを設ける。その理由に本考案にゴミ袋と内側シートをセットする際、ゴミ箱の上にのせて作業するのが便利で好ましく、その際ゴミ箱からずり落ちない為のＬ字型のうけとなる。
【００１３】
ツバ付きゴミ箱内枠の枠はツバ裏に形状を保ちながら枠の上部を垂直にツバの穴と略同心となるように接続しゴミ箱の内周よりも小さい外周であり、ゴミ箱内への出し入れがスムーズに出来る余裕を必要とする。
【００１４】
枠は底を有しないものであって筒状又は柱状のもので形成するが内側シートを巻き被うのに充分な強度があれば枠に数箇所、縦に切り込みを入れたものや、ツバ裏にツバの穴と略同心となるように柱状の支柱を接続したものでよい。この理由として通常円形のゴミ箱には底内側に３箇所、高さ１０ｃｍ前後、巾１ｃｍ前後の補強柱が有り、その補強柱を避けることが出来る。
【００１５】
底が入口よりも小さい一般的なゴミ箱の場合、縦の切り込みが入った枠が重なり萎み対応する事が出来る。ゴミ箱のゴミがいっぱいになり枠がゴミ箱外側へ押される力が加えられた時、接続部位は外れない柔軟性と強度を持ちつつ枠はゴミ箱の外側へ押し広がる柔軟性と強度を必要とする。
【００１６】
本考案を用いる場合は内側シートである紙、新聞紙、紙袋とゴミ袋をセットする際、ツバを下にふせ枠が垂直に立った状態で、枠を接続部位に合わせて内側シートで巻き被い枠の下部からゴミ袋を被せた後、上下反転させた状態でゴミ箱入口にツバを被せゴミ箱内部に枠を収容する。又、用途に応じて内側シートとゴミ袋をそれぞれ単独で枠に巻き被い使用する事も出来る。
【００１７】
枠にセットする紙、新聞紙は枠を一周できる幅をもち枠の等倍以上、約２倍以下の高さを有するものでありツバと枠の接続部位に合わせて、紙、新聞紙等を巻き被い枠下部よりはみ出した部分は枠下部縁に沿って合わせ折り枠の中へ押し入れる。
【００１８】
枠にセットする紙袋は枠の形態に合わせた底の形と高さを有するものであって枠下部からツバまで被せる。紙袋は予め底があるので紙、新聞紙に比べて巻き被う手間が省けて便利である。
【００１９】
ゴミ袋は行政指定のポリエチレン製ゴミ袋やポリプロピレン製レジ袋であって枠のサイズに合わせて決める。
【考案の効果】
【００２０】
本考案に係るツバ付きゴミ箱内枠はゴミ箱と枠の間に内側シートとゴミ袋を挟みセットする事でゴミを内側シートである紙、新聞紙、紙袋にくるんで処理する事が出来、ゴミの様子が見えず個人情報が守られ、カラス等の外敵から被害を防ぐ事が出来、先の尖った物でゴミ袋に傷が付きにくく又、紙、新聞紙、紙袋が余分な水分を吸収し異臭を抑え公共道路たるゴミ置き場環境を美しく衛生的に保つ事が出来る。
【００２１】
本考案に内側シートとゴミ袋をセットしゴミ箱内部に収容した後、そのまま使用しても良いし、本考案を抜き出しゴミ箱を使用できる。つまり何個でもゴミ箱内に内側シートとゴミ袋をセットする事が出来、有効的で便利である。
【図面の簡単な説明】
【００２２】
【図１】本考案のツバ付きゴミ箱内枠を示す斜視図
【図２】ゴミ箱内へ収容された本考案の使用状態を示す縦断面図
【図３】本考案に内側シートとゴミ袋の取り付け工程を示す模式図
【考案を実施するための形態】
【００２３】
以下、本考案のツバ付きゴミ箱内枠７の最良な形態について図面上に示す実施例に基づいて具体的に説明する。図１はドーナツ型のツバ１とツバ１の裏に接続している枠２からなるツバ付きゴミ箱内枠７である。ゴミ箱は巾２３ｃｍ奥行２３ｃｍ高さ３２ｃｍの円型ゴミ箱を使った。ツバ１は直径２８ｃｍの外円と直径１８ｃｍの内円、巾５ｃｍのドーナツ型となった。底を有しない直径１９ｃｍ高さ２８ｃｍの枠２をドーナツ型ツバ１裏の外側５ｃｍのところにツバの穴と略同心となるように垂直に接続した。
【００２４】
図２のように枠２を内側シート４で包み被う。内側シート４は新聞紙、紙製シートとする。この理由に新聞紙の広げた巾は枠２の外周を一周出来、高さは枠２の約２倍の大きさであり枠を巻き被うのに充分な大きさであって誰でも手に入りやすく手軽である。又新聞紙は余分な水分、臭いを吸収する性質を持っており異臭を防ぐ事が出来る。図２中央の盛り上がった部分は枠２を新聞紙で巻き被う時、余った部分を枠２の底内部に押し入れた状態を示す。
【００２５】
内側シート４は予め底のある紙袋でも代用でき、この場合、枠２下部より被せるだけで紙を巻き被う手間が省けて便利である。
【００２６】
ゴミ袋５は行政指定のポリエチレン製ゴミ袋やポリプロピレン製レジ袋であってこの時、行政指定のポリエチレン製ゴミ袋１０リットルサイズを使用した。枠２に内側シート４をゴミ袋５の中へ収容した時ゴミ袋５の入口縁がゴミ箱６入口縁に届くか、それ以上の大きさであって、はみ出した部分はゴミ箱６に巻きかけるか持ち手があるゴミ袋５は持ち手部分をゴミ箱６外側にたらしかける。
【００２７】
ツバ１の形であるが基本は各ゴミ箱６に合わせた形となる。例えば円形のゴミ箱  に対し円形のドーナツ型ツバ１となり、四角形、多角形のゴミ箱６に対し、その形  と同じ形のツバ１となる。
【００２８】
図２のＢはツバ１縁から枠２の接続部３までの長さを示すもので、この長さは１００ｍｍ以下とするのが望ましい。この理由はこの範囲より大きいとゴミ箱６よりはみ出るツバ１が大きくなり邪魔であり不安定となる。またＢがこの範囲より狭すぎるとゴミ箱６と枠２の隙間Ｄが小さくなりゴミ箱６と枠２の間にある内側シート４とゴミ袋５の厚みによりゴミ箱６への枠２の出し入れが困難となる。この時のＤの隙間は５ｍｍから３０ｍｍ位がちょうど良い大きさである。
【００２９】
図２のＣは略同心となるように開けたゴミ入口の直径の大きさである。用途に応じて形や大きさを決めればよいが、接続部３と同じ位置かそれよりも内側にゴミ入口の穴を開ける。ごみ入口Ｂは通常穴が開いた状態で使用するがゴミ箱６の中身が見えない為、臭いを防ぐ為にスイング式の蓋を取り付けても良いし穴をふさぐ為の可動式の蓋を載せて使用しても良い。
【００３０】
図３に基づき組立の説明をしておく。（１）は本考案を下にふせ枠２が垂直に立った状態で新聞紙を接続部３に合わせて巻き被い枠２底縁よりはみ出した部分を枠２底入口縁に沿って合わせ折り枠２の中へ押し入れる。図中央の盛り上がった部分は新聞紙が重なった状態を示す。
実際使用する時はゴミ箱６入口上に本考案のツバ１の表をふせ、枠２が垂直に立った状態で内側シート４とゴミ袋５をセットするとスペースも取らず簡単に出来便利である。
次に（２）では（１）の上からゴミ袋５を被せます。この時ゴミ袋５はツバ１の裏まで届くかそれ以上の大きさである。
次に（３）では（２）を上下反転させツバ１が上になる様に向きを直しゴミ箱６入口にツバ１がのる様に枠２をゴミ箱６内部へ収容している状態を示しゴミ箱６よりはみ出したゴミ袋５はゴミ箱６外側へ巻きかけるか、持ち手のあるゴミ袋５はゴミ箱６外側へたらしかける。
上記工程によりセットされた本考案はゴミ箱６のゴミを処理する際、本考案のみを抜き出した後、ゴミ袋５を引き出す事でゴミが内側シート４で包まれた状態で中の様子が見えない仕組みのツバ付きゴミ箱内側７で手を汚す事なく簡単にまとめる事が出来実用性に優れている。
【産業上の利用可能性】
【００３１】
日用品の業界において活用できる。
【符号の説明】
【００３２】
１  ツバ
２  枠
３  接続部
４  内側シート
５  ゴミ袋
６  ゴミ箱
７  ツバ付きゴミ箱内枠
【図１】
0003162234.tif 000003
【図２】
0003162234.tif 000004
【図３】
0003162234.tif 000005